(57)【要約】【課題】黄ばみに代表される衣類の変色や退色を有効に抑制する。【解決手段】ウェットクリーニングされた衣類１と、ウェットクリーニングされた衣類１の周囲を覆っており、酸化防止剤を含まない包装材３と、包装材３で覆われた衣類１を内部に収納する収納箱２とを有する。衣類１の周囲を包装材３で覆うことで、衣類１が包装材３以外の物と直接接触することがない。この包装材３は、酸化防止剤を含んでいないので、大気中の窒素化合物との反応は生じない。したがって、包装材３が衣類１と接触しても、衣類１の変色や退色を招くことはない。【選択図】図１
2006225010.tif 000002
【特許請求の範囲】
【請求項１】
衣類包装体において、
ウェットクリーニングされた衣類である明色系ウェディングドレスと、
前記ウェットクリーニングされたウェディングドレスの周囲を覆っており、酸化防止剤を含まない和紙と、
前記和紙で覆われたウェディングドレスを内部に収納する収納箱と
を有することを特徴とする衣類包装体。
【請求項２】
衣類包装体において、
クリーニングされた衣類と、
前記クリーニングされた衣類が周囲の物と直接接触しないように、前記衣類の周囲を覆っており、通気性を有し、酸化防止剤を含まないシート状の包装材と
を有することを特徴とする衣類包装体。
【請求項３】
前記包装材は、和紙であることを特徴とする請求項２に記載された衣類包装体。
【請求項４】
前記クリーニングは、ウェットクリーニングであることを特徴とする請求項２または３に記載された衣類包装体。
【請求項５】
前記衣類は、明色系ウェディングドレスであることを特徴とする請求項２から４のいずれかに記載された衣類包装体。
【請求項６】
衣類のクリーニング処理方法において、
衣類である明色系ウェディングドレスをウェットクリーニングするステップと、
前記ウェットクリーニングされたウェディングドレスの周囲を、酸化防止剤を含まない和紙で覆うステップと、
前記和紙で覆われたウェディングドレスを収納箱の内部に収納するステップと
を有することを特徴とする衣類のクリーニング処理方法。
【発明の詳細な説明】
【技術分野】
【０００１】
本発明は、衣類包装体および衣類のクリーニング処理方法に係り、特に、クリーニングされた衣類の保存に関する。
【背景技術】
【０００２】
例えばウェディングドレスのように、持ち主にとって人生の記念や思い出となる衣類については、クリーニング代が多少高くても、その綺麗さを長期間にわたって維持したいというニーズが高い。従来、このような衣類には、ドライクリーニング（油性溶剤中でのワッシャー洗浄）を主体にしたクリーニング処理が施されることが多い。しかしながら、ドライクリーニングは、油溶性物質の除去は可能であるが、水溶性物質である汗などに含まれるタンパク質や脂質などを十分に除去することができない。そして、水溶性物質が衣類に付着したまま残ると、大気中の酸素との結合による酸化、或いは、衣類に付着した微生物の新陳代謝による分解によって、経時変化としての黄ばみが衣類に生じる。
【０００３】
このような黄ばみの低減を図るべく、ドライクリーニングされた衣類をビニール製カバー等で真空パック化することも行われている。しかしながら、この手法は、黄ばみの発生を遅らせることはできても、黄ばみの発生自体を防止することは困難である。なぜなら、ビニールという材質の特性上、酸素の進入を完全に防止し、或いは、微生物の呼吸を完全に阻止することはできないからである。また、ビニール製カバーには、それ自体の酸化を防止するための酸化防止剤が含まれており、これが大気中の窒素化合物と反応することによって、カバーとの接触部位における衣類の黄ばみを招くからである。
【０００４】
非特許文献１には、酸化防止剤をはじめとした化学物質の酸化による衣類の黄ばみ（黄色物質）の詳しい発生メカニズムが記載されている。具体的には、ビニール製カバーに含まれるジブチルヒドロキシトルエン（ＢＨＴ）が、窒素化合物と結合することで、黄色物質（例えば、ジブチルキノンメチド）が生成され、これが衣類に付着することで、衣類に黄ばみが発生する。
【非特許文献１】「繊維事故の原因解析について（その１３）−黄変−」          染色工業 Vol.46 No6 P261-P266 1998年1月
【発明の開示】
【発明が解決しようとする課題】
【０００５】
本発明は、かかる事情に鑑みてなされたものであり、その目的は、黄ばみに代表される衣類の変色や退色を有効に抑制することである。
【課題を解決するための手段】
【０００６】
かかる課題を解決するために、第１の発明は、ウェットクリーニングされた衣類である明色系ウェディングドレスと、ウェットクリーニングされたウェディングドレスの周囲を覆っており、酸化防止剤を含まない和紙と、和紙で覆われたウェディングドレスを内部に収納する収納箱とを有する衣類包装体を提供する。
【０００７】
第２の発明は、クリーニングされた衣類と、クリーニングされた衣類が周囲の物と直接接触しないように、衣類の周囲を覆っており、通気性を有し、酸化防止剤を含まないシート状の包装材とを有する衣類包装体を提供する。
【０００８】
ここで、第２の発明において、上記包装材は、和紙であることが好ましく、また、上記クリーニングは、ウェットクリーニングであることが好ましい。さらに、上記衣類は、明色系ウェディングドレスであってもよい。
【０００９】
第３の発明は、衣類である明色系ウェディングドレスをウェットクリーニングするステップと、ウェットクリーニングされたウェディングドレスの周囲を、酸化防止剤を含まない和紙で覆うステップと、和紙で覆われたウェディングドレスを収納箱の内部に収納するステップとを有する衣類のクリーニング処理方法を提供する。
【発明の効果】
【００１０】
第１または第３の発明によれば、ドライクリーニングではなくウェットクリーニングを明色系ウェディングドレスに施すことで、変色や退色の原因となる水溶性物質を有効に除去できる。また、このウエディングドレスの周囲を和紙で覆うことで、ウェディングドレスが和紙以外の物と直接接触することがない。この和紙は、酸化防止剤を含んでいないので、大気中の窒素化合物との反応は生じない。したがって、和紙がウェディングドレスと接触しても、ウェディングドレスの変色や退色を招くことはない。
【００１１】
また、第２の発明によれば、クリーニングされた衣類の周囲を通気性を有し、酸化防止剤を含まないシート状の包装材で覆うことで、衣類が包装材以外の物と直接接触することがない。この包装材は、酸化防止剤を含んでいないので、大気中の窒素化合物との反応は生じない。したがって、包装材が衣類と接触しても、衣類の変色や退色を招くことはない。
【発明を実施するための最良の形態】
【００１２】
（第１の実施形態）
図１は、第１の実施形態にかかる衣類包装体の構成図である。この衣類包装体は、衣類１と、衣類１を収納する収納箱２と、衣類１を包装する包装材３とで構成される。衣類１は、一例として、白、黄、ブルー、ピンクとった明色系ウェディングドレスを想定しており、水を用いたウェットクリーニングが施された物である。ただし、衣類１は、ウェディングドレスに限定されず、その綺麗さを長期間にわたって維持すべき物であればよい。
【００１３】
収納箱２は、上蓋２ａと下箱２ｂとで構成されており、折り畳んだ衣類１を収納可能な内部スペースを有する。一例として、この収納箱２は、ボール紙質で組み立てられており、幅約５０ｃｍ×高さ約２０ｃｍ×奥行き約４０ｃｍのサイズを有する。包装材３は、通気性を有し、かつ、酸化防止剤を含まないシート状のものである。具体的には、自然素材である和紙を材料としており、衣類１の周囲を四方から覆うことが可能な寸法に裁断されている。衣類１の包装は、まず、衣類１を包装材３で覆い、これを下箱２ｂ内に収納した上で、上蓋２ａを下箱２ｂの上方から被せることによって完了する。
【００１４】
本実施形態によれば、ドライクリーニングではなくウェットクリーニングを衣類１に施すことで、変色や退色の原因となる水溶性物質を有効に除去できる。また、この衣類１の周囲を包装材３で覆うことで、衣類１が包装材３以外の物と直接接触することがない。この包装材３は、酸化防止剤を含んでいないので、大気中の窒素化合物との反応は生じない。したがって、包装材３が衣類１と接触しても、黄ばみに代表されるような衣類１の変色等を招くことはない。
【００１５】
また、衣類包装体を構成する収納箱２および包装材３は、比較的安価に入手可能であり、十分な通気性を有するので、衣類１に付着する細菌の繁殖や、細菌による悪臭を解消することができる。さらに、包装材３によって包装された衣類１をさらに収納箱２に収納することにより、衣類１または包装材３の損傷、或いは、これらの紫外線による劣化を防ぐことができる。
【００１６】
（第２の実施形態）
図２は、第２の実施形態にかかる衣類包装体の構成図である。この衣類包装体は、衣類１と、収納箱２と、包装材３とを有する点では第１の実施形態と同様であるが、包装材３が収納箱２の内壁に予め取り付けられている点で第１の実施形態と相違する。
【００１７】
本実施形態によれば、第１の実施形態と同様の効果を奏するほか、衣類１を包装材３で包装する手間を省くことができる。
【００１８】
（第３の実施形態）
図３は、第３の実施形態にかかる衣類包装体の構成図である。この衣類包装体は、衣類１と、衣類１をかけるハンガー４と、包装材３とを有する。衣類１および包装材３は、第１の実施形態と同じ材質から構成されている。ハンガー４は、衣類１をクローゼットに収納する場合に用いる収納具であるが、包装材３と同様に酸化防止剤を含有しないものが好ましい。包装材３は、ハンガー４にかけられた衣類１の周囲を覆っている。具体的には、包装材３を釣鐘状に立体形成し、その頂部には、ハンガー４のフックが突出するように若干径の穴が設けられている。また、包装材３の下部には、衣類１を十分通すことができる程度の開口部が設けられている。
【００１９】
本実施形態によれば、第１の実施形態と同様の効果を有することに加えて、ハンガー４を利用することにより、吊り掛け形態で収納可能となる。また、収納箱２を必要としないので、コスト的にも有利である。
【００２０】
なお、上述した各実施形態では、ウェットクリーニングされた衣類１を対象に説明したが、酸素との結合等に起因した黄ばみを問題としないのであれば、ドライクリーニングされた衣類１を対象としてもよい。
【図面の簡単な説明】
【００２１】
【図１】第１の実施形態にかかる衣類包装体の構成図
【図２】第２の実施形態にかかる衣類包装体の構成図
【図３】第３の実施形態にかかる衣類包装体の構成図
【符号の説明】
【００２２】
１  衣類
２  収納箱
２ａ  上蓋
２ｂ  下箱
３  包装材
４  ハンガー
【図１】
2006225010.tif 000003
【図２】
2006225010.tif 000004
【図３】
2006225010.tif 000005